(57)【要約】【課題】快適な装着感が得られると共に簡素な構造で頭部への装着／非装着を検出して電源を管理することができるヘッドホン（５０）を提供する【解決手段】ハウジング（１H）と、ハウジング（１Ｈ）に固定されたスピーカユニット（５Ｌ）と、ハウジング（１H)における、スピーカユニット（５Ｌ）が放音する側の音声を収録可能な位置に配設されたマイク（６）と、予め設定されたしきい値（Ｓ）を記憶する記憶部（１４）と、スピーカユニット（５Ｌ）に供給される音声信号（ＳＧ１Ｌ）のパワースペクトルとマイク（６）で収録した音声の音声信号（ＳＧ４）のパワースペクトルとを比較し、その比較結果と記憶部（１４）に記憶されたしきい値（Ｓ）とをさらに比較して得た比較結果に対応した信号（ＳＪ）を出力する信号処理回路と、を備えた。【選択図】図２
2009207053.tif 000002
【特許請求の範囲】
【請求項１】
ハウジングと、
前記ハウジングに固定されたスピーカユニットと、
前記ハウジングにおける、前記スピーカユニットが放音する側の音声を収録可能な位置に配設されたマイクと、
予め設定されたしきい値を記憶する記憶部と、
前記スピーカユニットに供給される音声信号のパワースペクトルと前記マイクで収録した音声の音声信号のパワースペクトルとを比較し、その比較結果と前記記憶部に記憶されたしきい値とをさらに比較して得た比較結果に対応した信号を出力する信号処理回路と、を備えたことを特徴とするヘッドホン。
【請求項２】
前記信号処理回路からの信号を外部に出力する出力端子を備えたことを特徴とする請求項１記載のヘッドホン。
【請求項３】
前記信号処理回路に電源を供給する電源部と、
前記信号処理回路からの信号に基づいて前記電源の供給を制御する制御部を備えたことを特徴とする請求項１記載のヘッドホン。
【請求項４】
請求項２記載のヘッドホンと、このヘッドホンの前記出力端子と接続される入力端子を有する情報再生装置と、を含んで構成されるヘッドホンシステムにおいて、
前記情報再生装置は、
前記スピーカユニットに供給する音声信号を生成する音声出力部と、
前記音声出力部に電源を供給する電源部と、
当該情報再生装置を制御する制御部と、を備え、
前記制御部は、前記入力端子から入力される前記信号処理回路からの信号に基づいて、前記電源の供給を制御することを特徴とするヘッドホンシステム。
【請求項５】
ヘッドホンが接続された情報再生装置の電源制御方法であって、
前記ヘッドホンは、スピーカユニットとマイクと前記スピーカユニット及び前記マイクと接続された信号処理回路を備える一方、前記情報再生装置は電源及びこの電源を制御する制御部を備えており、
前記信号処理回路が、前記スピーカユニットに供給される音声信号のパワースペクトルと前記マイクで収録された音声信号のパワースペクトルとを比較し、その比較結果に対応した信号を出力する比較ステップと、
前記制御部が前記比較ステップで出力された信号に基づいて前記電源からの電源供給を制御する電源制御ステップと、を有することを特徴とする、ヘッドホンが接続された情報再生装置の電源制御方法。
【発明の詳細な説明】
【技術分野】
【０００１】
本発明は、ヘッドホン，ヘッドホンシステム，及びヘッドホンが接続された情報再生装置の電源制御方法に係る。
【背景技術】
【０００２】
デジタルオーディオ／ビデオプレーヤや光ディスク再生装置などの情報再生装置は、小型軽量化が進んで携帯が容易となった。
そして、このような情報再生装置とそれに接続したヘッドホン（以下、情報再生装置とそれに接続したヘッドホンとの組を、ヘッドホンシステムと称することとする）とを用いて、屋外でも音楽情報や画像情報などを楽しむ生活スタイルが定着した。
特に携帯型の情報再生装置は、通常、電池で駆動されるので、長時間使用できるようにするための電源制御は重要である。
【０００３】
また、ヘッドホンについても、ワイヤレ通信機能やノイズキャンセル機能を備えて電源を搭載する形態のものがあり、これを長時間使用できるようにするための電源制御は重要である。
【０００４】
そのため、不使用時に無駄な動作をしないようヘッドホンやそれを接続した情報再生装置の電源を制御する技術が検討されてきている。
具体的には、ヘッドホンが頭部に装着されているか否かを検出し、否である場合を不使用時として電源を切断したり電力消費を抑えるようにする技術であり、その例が特許文献１や特許文献２に記載されている。
【０００５】
【特許文献１】特開平７−２４０９８９号公報
【特許文献２】特開平８−２９４１９１号公報
【発明の開示】
【発明が解決しようとする課題】
【０００６】
特許文献１には、ヘッドホンが頭部に装着された際の頭部への押圧力を利用して電源スイッチのＯＮ／ＯＦＦを行う技術が開示されている。
この技術は、スイッチを動作させるためにある程度以上の押圧力を必要とするので、使用者が快適な装着感を得られない虞がある、という点で改善が望まれる。
【０００７】
特許文献２には、頭部に装着された際のヘッドバンドの偏位により電源をＯＮ／ＯＦＦする技術が開示されている。
この技術は、ヘッドバンドの構造が複雑になり組み立て工数が増える、という点で改善が望まれる。
【０００８】
そこで、本発明が解決しようとする課題は、快適な装着感が得られると共に簡素な構造で頭部への装着／非装着を検出して電源を管理することができるヘッドホン及びヘッドホンが接続された情報再生装置の電源制御方法を提供することにある。
【課題を解決するための手段】
【０００９】
上記の課題を解決するために、本願発明は手段として次の１）〜４）の構成を有する。
１）  ハウジング（１H）と、
前記ハウジング（１Ｈ）に固定されたスピーカユニット（５Ｌ）と、
前記ハウジング（１H)における、前記スピーカユニット（５Ｌ）が放音する側の音声を収録可能な位置に配設されたマイク（６）と、
予め設定されたしきい値（Ｓ）を記憶する記憶部（１４）と、
前記スピーカユニット（５Ｌ）に供給される音声信号（ＳＧ１Ｌ）のパワースペクトルと前記マイク（６）で収録した音声の音声信号（ＳＧ４）のパワースペクトルとを比較し、その比較結果と前記記憶部（１４）に記憶されたしきい値（Ｓ）とをさらに比較して得た比較結果に対応した信号（ＳＪ）を出力する信号処理回路と、を備えたことを特徴とするヘッドホン（５０）である。
２）  前記信号処理回路（８）からの信号（ＳＪ）を外部に出力する出力端子（４ｏｕｔ）を備えたことを特徴とする１）に記載のヘッドホン（５０）である。
３）  前記信号処理回路（８）に電源を供給する電源部（１０）と、
前記信号処理回路（８）からの信号（ＳＪ）に基づいて前記電源（１０）の供給を制御する制御部（１６）を備えたことを特徴とする１）に記載のヘッドホン（５１）である。
４）  ２）に記載のヘッドホン（５０）と、このヘッドホン（５０）の前記出力端子（４ｏｕｔ）と接続される入力端子（６１ｉｎ）を有する情報再生装置（６０）と、を含んで構成されるヘッドホンシステム（ＨＳ）において、
前記情報再生装置（６０）は、
前記スピーカユニット（５Ｌ）に供給する音声信号を生成する音声出力部（６３）と、
前記音声出力部（６３）に電源を供給する電源部（６８）と、
当該情報再生装置（６０）を制御する制御部（６２）と、を備え、
前記制御部（６２）は、前記入力端子（６１ｉｎ）から入力される前記信号処理回路（８）からの信号（ＳＪ）に基づいて、前記電源の供給を制御することを特徴とするヘッドホンシステム（ＨＳ）である。
【００１０】
また、本願発明は手段として次の５）の手順を有する。
５）  ヘッドホンが接続された情報再生装置の電源制御方法であって、
前記ヘッドホンは、スピーカユニット（５Ｌ）とマイク（６）と前記スピーカユニット（５Ｌ）及び前記マイク（６）と接続された信号処理回路（８）を備える一方、前記情報再生装置（６０）は電源（６８）及びこの電源（６８）を制御する制御部（６２）を備えており、
前記信号処理回路（８）が、前記スピーカユニット（５Ｌ）に供給される音声信号（ＳＧ１Ｌ）のパワースペクトルと前記マイク（６）で収録された音声信号（ＳＧ４）のパワースペクトルとを比較し、その比較結果に対応した信号（ＳＪ）を出力する比較ステップと、
前記制御部（６２）が前記比較ステップで出力された信号（ＳＪ）に基づいて前記電源（６８）からの電源供給を制御する電源制御ステップと、を有することを特徴とする、ヘッドホンが接続された情報再生装置の電源制御方法である。
【発明の効果】
【００１１】
本発明によれば、快適な装着感が得られると共に簡素な構造で頭部への装着／非装着を検出して電源を制御することができる、という効果を奏する。
【発明を実施するための最良の形態】
【００１２】
本発明の実施の形態を、好ましい実施例により図１〜図８を用いて説明する。
【００１３】
＜ヘッドホン＞
まず、本発明のヘッドホンの実施例について説明する。
図１は、そのヘッドホンの実施例を示す外観斜視図である。
【００１４】
ヘッドホン５０は、いわゆるヘッドバンドタイプであり、左耳にあてがうヘッドホンユニット１Ｌと、右耳にあてがうヘッドホンユニット１Ｒと、両者を連結するヘッドバンド２と、ヘッドホンユニット１Ｌから延出するコード３と、コード３の先端に設けられ再生装置の出力端子に接続されプラグ４と、を備えている。
【００１５】
ヘッドホンユニット１Ｌ，１Ｒには、音を放出するスピーカユニット５Ｌ，５Ｒが備えられると共に、それぞれ、このスピーカユニット５Ｌ，５Ｒを収納するハウジング１Ｈと、ハウジング１Ｈの外周部に装着されて耳介に柔らかく当接する円形または楕円形のリング状のパッド７とをそれぞれ備えている。
スピーカユニット５Ｌ，５Ｒは、それぞれハウジング１Ｈのバッフル板１Ｈａに固定されている。
また、ヘッドホンユニット１Ｌにおいて、そのバッフル板１Ｈａにはマイク６がスピーカユニット５Ｌの近傍に配設されており、マイク６とスピーカユニット５Ｌとは、共にパッド７で囲まれた内側の空間ＰＳに臨むように設けられている。
【００１６】
ヘッドホンユニット１Ｌの内部には、信号処理部８を有する配線基板９が収納されている。
ヘッドホンユニット１Ｒの内部には、信号処理部８に電力を供給する電源部１０が収納されている。
【００１７】
図２は、このヘッドホン５０の回路構成を説明するためのブロック図である。
この図２において、後述する電源部１０は省略してある。
【００１８】
このヘッドホン５０において、プラグ４は、外部の再生装置に接続された際に、その再生装置からのＬチャネル及びＲチャネルの音声信号が入力される入力端子４Ｌｉｎ，４Ｒｉｎと、信号処理部８からの信号（後述する）を出力する出力端子４ｏｕｔと、を備えている。
【００１９】
入力端子４Ｒｉｎから入力された音声信号ＳＧ１Ｒは、スピーカユニット５Ｒに供給され、スピーカユニット５Ｒにより音声として放出される。
入力端子４Ｌｉｎから入力された音声信号ＳＧ１Ｌは、２つに分岐される。その一方はスピーカユニット５Ｌに供給され、スピーカユニット５Ｌにより音声として放出される。他方は、信号処理部８に供給される。
【００２０】
図２において、信号処理部８は、Ａ／Ｄ変換部（Ａ）１１Ａ及びＡ／Ｄ変換部（Ｂ）１１Ｂ，ＦＥＴ部（Ａ）１２Ａ及びＦＥＴ部（Ｂ）１２Ｂ，相関係数算出部１３，しきい値出力部１４，及び比較器１５を有して構成されている。
【００２１】
信号処理部８に供給された音声信号ＳＧ１Ｌは、まず、Ａ／Ｄ変換部（Ａ）１１Ａに入力される。
このＡ／Ｄ変換部（Ａ）１１Ａは、アナログ信号である音声信号ＳＧ１Ｌをデジタル信号ＳＧ２に変換する。
【００２２】
ＦＥＴ部（Ａ）１２Ａは、デジタル信号ＳＧ２を時間領域から周波数領域へ変換してＦＥＴ信号（Ａ）ＳＧ３を出力する。
【００２３】
一方、マイク６は、パット７内の空間ＰＳの音声を収録し、音声信号ＳＧ４として出力する。
このマイク６は、上述したようにスピーカユニット５Ｌの近傍に配設されているので、そのスピーカユニット５Ｌが放音している場合、その放音された音声を収録する。
Ａ／Ｄ変換部（Ｂ）１１Ｂは、アナログ信号である音声信号ＳＧ４をデジタル信号にＳＧ５に変換する。
【００２４】
ＦＥＴ部（Ｂ）１２Ｂは、デジタル信号ＳＧ５を時間領域から周波数領域へ変換してＦＥＴ信号（Ｂ）ＳＧ６を出力する。
このデジタル信号ＳＧ５は、ＦＥＴ部（Ｂ）１２Ｂにより時間領域から周波数領域へ変換されＦＥＴ信号（Ｂ）ＳＧ６として出力される。
【００２５】
相関係数算出部１３は、ＦＥＴ信号（Ａ）ＳＧ３とＦＥＴ信号（Ｂ）ＳＧ６との間の相互相関係数を算出し、その相互相関係数を特定できる相関係数信号ＳＫを出力する。
例えば、信号Ｘ（ｎ）と信号Ｙ（ｎ）との相互相関係数Ｒｘ，ｙ（ｋ）は、次の式（１）のように求められるので、この式（１）にＦＥＴ信号（Ａ）ＳＧ３とＦＥＴ信号（Ｂ）ＳＧ６とを適用して算出することができる。
Ｒｘ，ｙ（ｋ）＝ΣＸ（ｎ）Ｙ（ｎ−ｋ）  （ただし、ｎ＝−∞…＋∞）
・・・式（１）
【００２６】
また、この相関係数算出部１３は、供給されるＦＥＴ信号（Ａ）ＳＧ３及びＦＥＴ信号（Ｂ）ＳＧ６に対して、高音域と低音域とでそれぞれ相関を比較する。
【００２７】
ここで、高音域及び低音域は、例えば、高音域として５０００Ｈｚ以上、低音域として５００Ｈｚ以下と設定する。
【００２８】
このように、相関係数算出部１３は、スピーカユニット５Ｌに供給される音声信号ＳＧ１Ｌと、スピーカユニット５Ｌにより放出された音声信号ＳＧ１Ｌに基づく音声をマイク６で収録して得られた音声信号ＳＧ４と、のパワースペクトラム同士を比較するものである。
さらに具体的には、その比較を、複数の周波数領域、例えば高音域と低音域とで実行するものである。
【００２９】
図２において、しきい値出力部１４は、記憶部を備えて予め設定された相関係数のしきい値Ｓを記憶すると共に、そのしきい値Ｓを特定できるしきい値信号ＳＴを出力する。
【００３０】
比較器１５は、相関係数信号ＳＫとしきい値信号ＳＴとを比較し、しきい値Ｓに基づき、判断条件ＨＪでこのヘッドホン５０が頭部に装着されているか否かを判断する。具体的例としては、相関係数がしきい値Ｓよりも大きい場合に相関有りとし、小さい場合に相関無し、として判断条件ＨＪにあてはめる。
そして、判断した結果を、装着状態信号ＳＪとして出力端子４ｏｕｔに出力する。
【００３１】
ここで、相関係数信号ＳＫは、スピーカ５Ｌに供給される音声信号ＳＧ１Ｌと、スピーカユニット５Ｌから放出された音声をマイク６で収録した音声信号ＳＧ４とに基づくものである。
従って、ヘッドホン５０が頭部に装着されている場合、マイク６は、頭部と（パッド７の形状が耳介に当接する形状の場合は耳介と）パッド７とにより形成されるほぼ閉じた空間に臨むことになる。
このため、低音域は比較的良好に相関が得られるものの、高音域はパッド７や頭部の影響を受けて相関が得にくくなる。
この傾向は、外部の騒音レベルには影響されにくい。
【００３２】
一方、ヘッドホン５０が頭部に装着されていない場合は、外部の騒音の大小で結果が異なる。
【００３３】
ヘッドホン５０が頭部に装着されていない場合、マイク６は、開放された空間に臨むことになる。
このため、外部の騒音が大きい場合は、その騒音の影響を受けて低音域、高音域共に相関が得られにくい。
逆に、外部の騒音が小さい場合は、その騒音の影響を受けず、さらにパッド７，や頭部の影響も受けずに、低音域及び高音域共、相関を得やすくなる。
【００３４】
このように、ヘッドホン５０の頭部への装着／非装着の判定は、外部騒音の大小を考慮して、表１のように判別することができる。
【表１】
2009207053.tif 000003
【００３５】
図３は、表１で示した判別を実行するための判断条件の一例として判断条件ＨＪを説明するフローチャートであり、このチャートを用いて説明する。
【００３６】
まず、低音域の相関の有無を判定する（Ｓｔｅｐ１）。
その判定結果が、低音域の相関無し（Ｎｏ）の場合、ヘッドホンは非装着と判断する（Ｓｔｅｐ２）。
【００３７】
また、判定結果が、低音域の相関有り（Ｙｅｓ）の場合、次に高音域の相関の有無を判定する（Ｓｔｅｐ３）。
その判定結果が、高音域の相関有り（Ｙｅｓ）の場合、ヘッドホンは非装着と判定する（Ｓｔｅｐ４）。
また、判定結果が、高音域の相関無し（Ｎｏ）の場合、ヘッドホンは装着と判定する（Ｓｔｅｐ５）。
【００３８】
上述したように、このヘッドホン５０は、頭部へ装着されているか否かを、出力する音声信号のパワースペクトラムと、出力した音声を収録して得た収録音声信号のパワースペクトラムと、を比較し、音響的特徴からその装着／非装着を判断するものである。また、その比較を、複数の周波数領域でそれぞれ実行する。
【００３９】
上述した例では、判断結果を装着状態信号ＳＪとして出力端子４ｏｕｔから外部へ出力するものについて説明したが、制御部１６を備え、この装着状態信号ＳＪに基づき、ヘッドホン５０自体の電源を制御する構成にしてもよい。
【００４０】
図４は、その一例であるワイヤレスのヘッドホン５１を説明するための図である。
【００４１】
このワイヤレスのヘッドホン５１は、ヘッドホン５０に対して、プラグ４に置き換えられた通信部１７と、スピーカ駆動部１８と、信号処理部８，電源部１０，及び通信部１７を制御する制御部１６と、をさらに備えて構成されている。
【００４２】
通信部１７は、外部の機器からの音声出力を有線または無線で受信し、出力信号をスピーカ駆動部１８に供給する。スピーカ駆動部１８は、この出力信号を増幅などして音声信号ＳＧ１Ｌ，ＳＧ１Ｒとしてスピーカユニット５Ｌ，５Ｒ及び信号処理部８に供給する。
【００４３】
このヘッドホン５１は、ヘッドホン５０と同様に信号処理部８から装着状態信号ＳＪが出力され、その装着状態信号ＳＪに基づいて制御部１６が電源部１０と通信部１７とを制御するよう構成されている。
【００４４】
具体的には、制御部１６は、装着状態信号ＳＪが、このヘッドホン５１が装着状態であることを示す信号の場合には、通常の動作を実行させるように各部を制御し、非装着状態であることを示す信号の場合には、例えば、電力消費をセーブし通信を停止する省電力モードあるいは主電源がＯＦＦの待機モードとするように電源部１０及び通信部１７を制御する。
【００４５】
ヘッドホン自体の電源を制御する他の例としてノイズキャンセルタイプのヘッドホン５２がある。
図５は、このヘッドホン５２を説明するためのブロック図である。
【００４６】
このヘッドホン５２は、スピーカユニット５Ｒにも音声収録用のマイク６Ｒを備え、スピーカユニット５Ｌのマイク６Ｌで収録された音声信号ＳＧ４４Ｌと，マイク６Ｒとで収録された音声の音声信号ＳＧ４４Ｒと、スピーカユニット５Ｌ，１Ｒに供給される信号ＳＧ１Ｌ，ＳＧ１Ｒとに基づいて周知の方法でノイズ成分を除去するノイズキャンセル回路１９を備える。
【００４７】
スピーカユニット５Ｌ，５Ｒには、このノイズキャンセル回路１９によってそれぞれのノイズ成分を除去するように信号処理された補正音声信号ＳＧ１Ｌａ，ＳＧ１Ｒａが供給される。
【００４８】
ここで、マイク６Ｌ，６Ｒで収録された音声の音声信号ＳＧ４４Ｌ，ＳＧ４４Ｒを信号処理回路８にも供給して、このヘッドホン５２が頭部に装着されているか否かを検出する。
そして、ヘッドホン５０で説明した装着／非装着の判断方法による判定により信号処理回路８から出力される装着状態信号ＳＪに基づいて、制御部１６はノイズキャンセル動作及びヘッドホン５２全体の電源を制御する。
【００４９】
具体的には、制御部１６は、装着状態信号ＳＪが、このヘッドホン５２が装着状態であることを示す信号の場合には、通常の動作を実行させるように各部を制御し、非装着状態であることを示す信号の場合には、例えば、電力消費をセーブすると共に、ノイズキャンセル動作を実行しない省電力モードあるいは主電源をＯＦＦにして待機モードとするように電源部１０，ノイズキャンセル回路１９，及び信号処理回路８を制御する。
【００５０】
＜ヘッドホンシステム＞
次に、上述した実施例のヘッドホン５０を用い、それを接続した情報再生装置６０の電源制御を行うヘッドホンシステムＨＳについて詳述する。
【００５１】
図６は、このヘッドホンシステムＨＳを説明する図であり、ヘッドホン５０から引き出されたコード３の先端のプラグ４が、情報再生装置６０の出力端子部６１に接続されてシステムを構成する。
【００５２】
情報再生装置６０としては、デジタルオーディオプレーヤ，ディスク再生装置，ゲーム機，画像表示装置，携帯電話など種々の電子機器が該当する。もちろん、再生専用のものでも記録可能なものであってもよい。
【００５３】
図７にこの情報再生装置６０の概略ブロック図を示す。
【００５４】
情報再生装置６０は、音楽データや画像データなどの情報を記憶する記憶部６６と、記憶部６６に記憶された情報を読み出すと共に音量，音質，及び画質などを調整しデジタル信号で出力する信号処理部６５と、信号処理部６５からのデジタル出力をアナログ出力に変換するＤ／Ａ変換部６４と、Ｄ／Ａ変換部６４からのアナログ出力をヘッドホンで駆動させるための音声出力部６３と、音声出力部６３からの信号を外部に出力するための入出力端子部６１と、この情報再生装置６０の電源部６８と、外部から情報を入力するための外部入力部６７と、動作状態などを表示する表示部６９と、この装置６０全体を制御する制御部６２と、を有して構成されている。
【００５５】
電源部６８は、例えば二次電池であり、この電源部６８からの電力供給は制御部６２により制御される。
【００５６】
入出力端子部６１は、Ｌチャネルの出力端子６１ｏｕｔＬと、Ｒチャネルの出力端子６１ｏｕｔＲと、入力端子６１ｉｎとを有している。出力端子６１ｏｕｔＬ，６１ｏｕｔＲにヘッドホンのプラグが接続されると、そのヘッドホンで音声を聴くことができる。
また、入力端子６１ｉｎから入力された入力信号は、制御部６２に供給される。
ここで、ヘッドホン５０のプラグ４が入出力端子部６１に接続されると、制御部６２には、入力端子６１ｉｎを介して、比較器１５からの装着状態信号ＳＪが供給される。
【００５７】
制御部６２は、装着状態信号ＳＪが、接続されたヘッドホン５０が装着状態であることを示す信号の場合には、通常の動作を実行させるように各部を制御し、非装着状態であることを示す信号の場合には、例えば、電力消費をセーブする省電力モードあるいは主電源をＯＦＦにして待機モードとするように、電源部６８や信号処理部６５などを制御する。
【００５８】
このように、ヘッドホン５０とそれが接続された情報再生装置６０とからなるヘッドホンシステムＨＳは、ヘッドホン５０自体が、使用者の頭部に装着されているか否かを、換言するならば、使用状態にあるか不使用状態にあるかを判定し、その判定結果を情報再生装置６０に供給する。そして、情報再生装置６０に搭載された制御部６２は、供給された判定結果に基づいて、情報再生装置６０の電源などを制御する。
【００５９】
具体的には、制御部６２は、ヘッドホン５０が使用状態において通常の動作を行うよう電源などを制御し、使用状態から不使用状態になったときに省電力モードあるいは主電源ＯＦＦの待機モードに移行させる。これにより、電源部６８が高効率で使用でき、この情報再生装置６０を充電毎の使用時間を長くすることができる。
もちろん、ヘッドホン５０が不使用状態から使用状態になったときには、省電力モードや待機モードから通常の動作モードに移行するように制御する。
【００６０】
上述した実施例で用いられるしきい値Ｓは、スピーカユニット５Ｌやマイク６，６Ｌの特性に応じてあらかじめ設定されるパラメータである。このパラメータが最適なしきい値となるように、パッド７や使用者の頭部形状などに応じて使用者が調整できるよう構成してもよい。
【００６１】
具体的には、複数の固定値をしきい値出力部に記憶させ、使用者が適宜選択できるようにする、また、可変手段により連続的に調整できるようにする、などの構成を取り得る。
【００６２】
また、単純に相関係数としきい値とを比較するだけではなく、周波数を複数の領域に分割してそれぞれ相関係数を求め、それらを互いに比較処理した結果としきい値とを比較してもよい。
この場合の比較処理としては平均値をとる、中央値をとるなど種々の処理が可能である。
【００６３】
本発明の実施例は、上述した構成及び手順に限定されるものではなく、本発明の要旨を逸脱しない範囲において変形例としてもよいのは言うまでもない。
【００６４】
ヘッドホン５０〜５２は、ヘッドバンドタイプのものに限らない。いわゆるインナーイヤータイプのものであってもよい。
ヘッドホンシステムＨＳは、ヘッドホン５０と情報再生装置６０との間の通信をコード３及びプラグ４を介して行うものに限らない。両者間の信号授受を無線で実行するものでもよい。
また、実施例のヘッドホンは一対のヘッドホンユニットを有するステレオタイプのものを説明したが、一つのヘッドホンユニット有するモノラルタイプのものにも適用できる。
マイク６の配設位置は、ヘッドバンドタイプのヘッドホンにおいては、頭部への装着の際に、パッドと頭部とで囲まれた空間に臨むように設けられていればよく、スピーカユニットの近傍に限るものではない。
また、インナーイヤータイプのヘッドホンにおいては、マイクは、装着時と非装着時との収録音のパワースペクトルに差が出るように耳介側に向いて配設されているのがよい。
【００６５】
図８は、インナーイヤータイプのヘッドホン５４の実施例を示す図である。この図においては、そのヘッドホンユニット５４Ａについて示している。
このヘッドホンユニット５４Ａは、開口部５４ｋを有するハウジング５４Ｂと、その開口部５４ｋを塞ぐバッフル板５４Ｃと、バッフル板５４Ｃに固定されたスピーカ５４Ｄと、同じバッフル板５４Ｃにおけるスピーカ５４Ｄの近傍に配設されたマイク５４Ｅと、を有して構成されている。
また、ハウジング５４Ｂからは、コード５４Ｆが引き出されている。
この例において、マイク５４Ｅは、スピーカ５４Ｄの放音方向ＤＨ側の空間ＤＨＳの音声を収録できるように取り付けられている。
【図面の簡単な説明】
【００６６】
【図１】本発明のヘッドホンの実施例を示す外観斜視図である。
【図２】本発明のヘッドホンの実施例を説明するためのブロック図である。
【図３】本発明のヘッドホンの実施例の動作を説明するためのフローチャートである。
【図４】本発明のヘッドホンの他の実施例を説明するためのブロック図である。
【図５】本発明のヘッドホンの別の実施例を説明するためのブロック図である。
【図６】本発明のヘッドホンシステムの実施例を説明するための外観図である。
【図７】本発明のヘッドホンシステムの実施例における情報再生装置を説明するためのブロック図である。
【図８】本発明のヘッドホンのさらに別の実施例を説明するための部分斜視図である。
【符号の説明】
【００６７】
１Ｌ，１Ｒ  ヘッドホンユニット
１Ｈ  ハウジング
１Ｈａ  バッフル板
２  ヘッドバンド
３  コード
４  プラグ
４Ｌｉｎ，４Ｒｉｎ  入力端子
４ｏｕｔ  出力端子
５Ｌ，５Ｒ  スピーカユニット
６  マイク
７  パッド
８  信号処理部
９  配線基板
１０  電源部
１１Ａ，１１Ｂ  Ａ／Ｄ変換部（Ａ），（Ｂ）
１２Ａ，１２Ｂ  ＦＥＴ部（Ａ），（Ｂ）
１３  相関係数算出部
１４  しきい値出力部
１５  比較器
１６  制御部
１７  通信部
１８  スピーカ駆動部
１９  ノイズキャンセル回路
５０〜５２  ヘッドホン
６０  情報再生装置
６１  入出力端子部
６１ｏｕｔＬ，６１ｏｕｔＲ  出力端子
６１ｉｎ  入力端子
６２  制御部
６３  音声出力部
６４  Ｄ／Ａ変換部
６５  信号処理部
６６  記憶部
６７  外部入力部
６８  電源部
６９  表示部
ＨＳ  ヘッドホンシステム
ＨＪ  判断条件
ＰＳ  空間
Ｓ  しきい値
ＳＴ  しきい値信号
ＳＫ  相関係数信号
ＳＪ  装着状態信号
ＳＧ１Ｌ，ＳＧ１Ｒ  音声信号
【図１】
2009207053.tif 000004
【図２】
2009207053.tif 000005
【図３】
2009207053.tif 000006
【図４】
2009207053.tif 000007
【図５】
2009207053.tif 000008
【図６】
2009207053.tif 000009
【図７】
2009207053.tif 000010
【図８】
2009207053.tif 000011